(57)【特許請求の範囲】
【請求項１】
左枠部材(a)で構成する左枠体(A)、及び右枠部材(b)で構成する右枠体(B)と、該左枠体(A)及び右枠体(B)の上面に配置され付属品を載置する収納体(C)、(D)と、前記左枠体(A)、右枠体(B)及び収納体(C)、(D)を収納する外装ケース(E)とからなり、
前記左枠部材(a)は、左壁構成体(イ)、中央構成体(ロ)、及び右壁構成体(ハ)を備え、
前記左壁構成体(イ)は、複数の側壁(8)(10)(11)(12)(13)を備え、
左壁構成体(イ)の階段状の切目を有する折片(1)を、これと対称形の折片(3)に折曲して重合し、前記折片(1)と対称形の折片(4)に折曲して重合して垂直重合片とし、側壁(11)の折目(11A)(11E)を山折りし、それ以外の側壁(11)の折目及び左壁構成体(イ)の他の側壁の各折目は谷折りし、折片(3)(4)の差込片(2)(4A)を側壁(8)の差込孔(7)に嵌合し、更にこの差込片(2)(4A)を側壁(13)の差込口(22)に嵌合して左壁構成体(イ)は角筒形状に形成し、側壁(10)(11)に形成した差込孔(14)(17)に、中央構成体(ロ)の上面片(36)の差込口(34)を有する差込片(34A)と、下面片(40)の差込口(38)を有する差込片(38A)を夫々嵌合し、
前記右壁構成体(ハ)は、複数の側壁(65)(56)(55)(54)(52)を備え、
右壁構成体(ハ)の階段状の切目を有する折片(69)をこれと対称形の折片(67)に折曲して重合し、前記折片(69)に折片(66)に折曲して重合して垂直重合片とし、側壁(56)の折目(56B)(56C)を山折りし、それ以外の側壁(56)の折目及び右壁構成体(ハ)の他の側壁の各折目は谷折りし、折片(66)(67)の差込片(66B)(68)を側壁(65)の差込孔(66C)に嵌合し、更にこの差込片(66B)(68)を側壁(52)の差込孔(51)に嵌合して右壁構成体(ハ)は角筒形状に形成し、側壁(55)(56)に形成した差込孔(57)(59)に、中央構成体(ロ)の上面片(36)の差込口(35)を有する差込片(35A)と、下面片(40)の差込口(39)を有する差込片(39A)を夫々嵌合して、左枠体(A)を構成し、
前記右枠部材(b)は、左壁構成体(ニ)、中央構成体(ホ)、及び右壁構成体(ヘ)を備え、
前記左壁構成体(ニ)は、複数の側壁(73)(74)(75)(76)(77)(78)(79)を備え、
左壁構成体(ニ)の階段状の切目を有する折片(70)を、これと対称形の折片(71)を折曲して重合し、前記折片(70)に折片(72)を折曲して重合して垂直重合片とし、側壁(76)の折目(76B)を山折りし、それ以外の側壁(76)の折目及び左壁構成体(ニ)の他の側壁の各折目は谷折りし、折片(70)(71)の差込片(70A)(71A)を側壁(77)の差込孔(77E)に嵌合して左壁構成体(ニ)は角筒形状に形成し、側壁(76)(77)に形成した差込孔(77F)(83A)に、中央構成体(ホ)の上面片(91)の差込口(89)を有する差込片(89A)と、下面片(94)の差込口(92)を有する差込片(92A)を夫々嵌合し、
前記右壁構成体(ヘ)は、複数の側壁(113)(114)(104)(103)(102)(101)(100)を備え、
右壁構成体(ヘ)の切目を有するＬ字状の折片(117)を、これと対称形の折片(116)に折曲して重合し、前記折片(117)に折片(114)を折曲て重合して垂直重合片とし、側壁(103)の折目(103B)を山折りし、それ以外の側壁(103)の折目及び右壁構成体(ヘ)の他の側壁の各折目は谷折りし、折片(117)の差込片(117A)を側壁(102)の差込孔(107A)に嵌合し、右壁構成体(ヘ)は角筒形状に形成し、側壁(102)(103)に形成した差込孔(104A)(118)に、中央構成体(ホ)の上面片(91)の差込口(90)を有する差込片(90A)と、下面片(94)の差込口(93)を有する差込片(93A)を夫々嵌合して、右枠体(B)を構成し、
前記左枠体(A)をドットプリンタ(G)の左側に差し込み、前記右枠体(B)をドットプリンタ(G)の右側に差し込んで該ドットプリンタ(G)の両側を保持することを特徴とするドットプリンタ用包装部材。
【請求項２】
左枠部材(a)の中央構成体(ロ)は、上垂直片(26)に連接して上部に中央折込片(45)(48)と該中央折込片(45)(48)の両側に左折込片(46)(49)及び右折込片(47)(50)を備え、
前記中央構成体(ロ)の中央折込片(45)の折目(45A)を谷折りし、左折込片(46)及び右折込片(47)の折目を夫々山折りして、前記中央折込片(45)と側壁(10)とを重合するとともに、前記左折込片(46)及び右折込片(47)を、側壁(8)(11)と重合して、角筒状体内に納め、
前記中央構成体(ロ)の中央折込片(48)の折目(48A)を谷折りし、左折込片(49)及び右折込片(50)の折目を夫々山谷折りして、前記中央折込片(48)と側壁(56)とを重合するとともに、前記左折込片(49)及び右折込片(50)を、側壁(55)(65)と重合して、該角筒状体内に納め、
前記中央構成体(ロ)の底辺(44)の両側に連接した折曲小片(43A)を角筒状体の側壁(11)の小差込孔(17D)に差込み、もう一方の折曲小片(43A)を角筒状体の側壁(55)の小差込片(61D)に差込み、両側の折曲片(43)(43)を下面片(40)の下部に重合し、
左壁構成体(イ)と右壁構成体(ハ)を中央構成体(ロ)の折目と差込片の折曲で一体としてなる左枠部材(a)とし、
右枠部材(b)の中央構成体(ホ)は、上垂直片（83）に連続して上部に中央折込片(84)(88)と該中央折込片(84)(88)の両側に左折込片(86)(89)及び右折込片(87)(90)を備え、
前記中央構成体(ホ)の中央折込片(84)の折目(84A)を谷折りし、左折込片(86)及び右折込片(87)の折目を夫々山折して、前記中央折込片(84)と側壁(76)とを重合するとともに、前記左折込片(86)及び右折込片(87)を、側壁(74)(77)と重合して角筒形成体内に納め、
前記中央構成体(ホ)の中央折込片(88)の折目(88A)を谷折りし、左折込片(89)及び右折込片(90)の折目を夫々山折して、前記中央折込片(88)と側壁(103)とを重合するとともに、前記左折込片(89)及び右折込片(90)を、側壁(102)（114）に重合して該角筒形成体内に納め、
前記中央構成体(ホ)の底辺(98)の両側に連接した折曲片(97)を角筒形成体の側壁(77)の小差込孔(83B)に差込み、もう一方の折曲片(97)を角筒状体の側壁(102)の小差込孔(118A)に差込み、両側の折曲片(97)(97)を下面片(94)の下部に重合し、
左壁構成体(ニ)と右壁構成体(ヘ)を中央構成体(ホ)の折目と差込片の折曲で一体としたことを特徴とする請求項１記載のドットプリンタ用包装部材。
【請求項３】
収納部材(c)は上下部対称の打ち抜きにより左右に差込孔(202)(202)を、上下に複数の差込孔(200)を有する折目(201)を、上端には上片(200A)を、下端には下片(200B)を形成してなり、該収納部材（c）の折目(201)を谷折りして上下片(200A)(200B)を垂直に立てて収納体(C)を構成し、
収納部材(d)は打ち抜きにより左右に差込孔(210)を、上下に複数の差込孔(205)(207)(208)を、上端には上片(205A)を、下端には下片(205B)を形成してなり、該収納部材(d)の折目(206)(209)を谷折して上下片(205A)(205B)を垂直に立てて収納体(D)を構成し、
収納体(C)の差込孔(202)(202)と、収納体(D)の差込孔(210)(210)を、左右枠体(A)(B)の上垂直片(26)(83)の各上片に差込固定し、これらを外装ケース(E)に収納してなることを特徴とする請求項１又は請求項２記載のドツトプリンタ用包装部材。
【発明の詳細な説明】
【０００１】
【発明の属する技術分野】
本発明は、ドットプリンタ用包装部材に関するものである。
【０００２】
【従来の技術】
従来、ドットプリンタを箱詰めする場合には、保管時や輸送時における外部からの衝撃で損傷しないように、発泡ポリスチロール、発泡ポリエチレン、空気封入クッションシート等の緩衝性のある合成樹脂材料が使用されている。
【０００３】
特に発泡スチロールは、複雑な立体形状の成形が可能であり、緩衝性に優れ、軽量であり製造コストも安い等の利点から、緩衝材として広く使用されている。
しかし、これらの合成樹脂製の緩衝材は、燃焼処理する場合には高熱を発するため焼却炉を損傷し、又、そのまま廃棄処分する場合にはゴミ処理公害を招くことになる。
そこで、再生利用ができると共に、これらの公害を招くことなく燃焼処理のできる段ボールが見直されて使用されるようになっている。
【０００４】
【発明が解決しようとする課題】
一枚の段ボールを打ち抜き抜孔、差込孔、差込片を形成して左右枠部材の左右壁構成体を角筒状体に折曲形成して中央構成体と一体にして左右枠体に折畳形成することにより、接着剤を使用することなく保管輸送時にコンパクトに折り畳める様にした折畳式段ボール製の包装部材を提供せんとするものである。
又、ドットプリンタは、その構造上、材質の違い等により各部位の強度が異なることから、段ボールだけで十分な緩衝効果が得られるようにするために、種々の工夫が必要になる。
【０００５】
本発明は、前記従来技術に鑑み、再生利用ができると共に、焼却処理可能な段ボールを使用して、材質の違い等により各部位の強度が異なるドットプリンタを損傷しないように左右枠体を差し込み保持して外部からの衝撃から保護できるドットプリンタ用包装部材を提供することを課題とする。
【０００６】
【課題を解決するための手段】
上記目的を達成するため、請求項１の発明は、左枠部材(a)で構成する左枠体(A)、及び右枠部材(b)で構成する右枠体(B)と、該左枠体(A)及び右枠体(B)の上面に配置され付属品を載置する収納体(C)、(D)と、前記左枠体(A)、右枠体(B)及び収納体(C)、(D)を収納する外装ケース(E)とからなる。
【０００７】
ここで、左枠部材(a)は、左壁構成体(イ)、中央構成体(ロ)、及び右壁構成体(ハ)を備え、前記左壁構成体(イ)は、複数の側壁を備え、左壁構成体(イ)の階段状の切目を有する折片(1)を、これと対称形の折片(3)に折曲して重合し、前記折片(1)と対称形の折片(4)に折曲して重合して垂直重合片とし、側壁(11)の折目(11A)(11E)を山折りし、それ以外の側壁(11)の折目及び左壁構成体(イ)の他の側壁の各折目は谷折りし、折片(3)(4)の差込片(2)(4A)を側壁(8)の差込孔(7)に嵌合し、更にこの差込片(2)(4A)を側壁(13)の差込口(22)に嵌合して左壁構成体(イ)は角筒形状に形成し、側壁(10)(11)に形成した差込孔(14)(17)に、中央構成体(ロ)の上面片(36)の差込口(34)を有する差込片(34A)と、下面片(40)の差込口(38)を有する差込片(38A)を夫々嵌合し、前記右壁構成体(ハ)は、複数の側壁を備え、右壁構成体(ハ)の階段状の切目を有する折片(69)をこれと対称形の折片(67)に折曲して重合し、前記折片(69)に折片(66)に折曲して重合して垂直重合片とし、側壁(56)の折目(56B)(56C)を山折りし、それ以外の側壁(56)の折目及び右壁構成体(ハ)の他の側壁の各折目は谷折りし、折片(66)(67)の差込片(66B)(68)を側壁(65)の差込孔(66C)に嵌合し、更にこの差込片(66B)(68)を側壁(52)の差込孔(51)に嵌合して右壁構成体(ハ)は角筒形状に形成し、側壁(55)(56)に形成した差込孔(57)(59)に、中央構成体(ロ)の上面片(36)の差込口(35)を有する差込片(35A)と、下面片(40)の差込口(39)を有する差込片(39A)を夫々嵌合して、左枠体(A)を構成する。
【０００８】
また、右枠部材(b)は、左壁構成体(ニ)、中央構成体(ホ)、及び右壁構成体(ヘ)を備え、前記左壁構成体(ニ)は、複数の側壁を備え、左壁構成体(ニ)の階段状の切目を有する折片(70)を、これと対称形の折片(71)を折曲して重合し、前記折片(70)に折片(72)を折曲して重合して垂直重合片とし、側壁(76)の折目(76B)を山折りし、それ以外の側壁(76)の折目及び左壁構成体(ニ)の他の側壁の各折目は谷折りし、折片(70)(71)の差込片(70A)(71A)を側壁(77)の差込孔(77E)に嵌合して左壁構成体(ニ)は角筒形状に形成し、側壁(76)(77)に形成した差込孔(77F)(83A)に、中央構成体(ホ)の上面片(91)の差込口(89)を有する差込片(89A)と、下面片(94)の差込口(92)を有する差込片(92A)を夫々嵌合し、前記右壁構成体(ヘ)は、複数の側壁が順次連続する構成を備え、右壁構成体(ヘ)の切目を有するＬ字状の折片(117)を、これと対称形の折片(116)に折曲して重合し、前記折片(117)に折片(114)を折曲げて重合して垂直重合片とし、側壁(103)の折目(103B)を山折りし、それ以外の側壁(103)の折目及び右壁構成体(ヘ)の他の側壁の各折目は谷折りし、折片(117)の差込片(117A)を側壁(102)の差込孔(107A)に嵌合し、右壁構成体(ヘ)は角筒形状に形成し、側壁(102)(103)に形成した差込孔(104A)(118)に、中央構成体(ホ)の上面片(91)の差込口(90)を有する差込片(90A)と、下面片(94)の差込口(93)を有する差込片(93A)を夫々嵌合して、右枠体(B)を構成する。
そして、前記左枠体(A)をドットプリンタ(G)の左側に差し込み、前記右枠体(B)をドットプリンタ(G)の右側に差し込んで該ドットプリンタ(G)の両側を保持する構成である。
【０００９】
次に請求項２記載の発明は、左枠部材(a)の中央構成体(ロ)は、上垂直片(26)に連接して上部に中央折込片(45)(48)と該中央折込片(45)(48)の両側に左折込片(46)(49)及び右折込片(47)(50)を備え、前記中央構成体(ロ)の中央折込片(45)の折目(45A)を谷折りし、左折込片(46)及び右折込片(47)の折目を夫々山折りして、前記中央折込片(45)と側壁(10)とを重合するとともに、前記左折込片(46)及び右折込片(47)を、側壁(8)(11)と重合して角筒状体内に納め、前記中央構成体(ロ)の中央折込片(48)の折目(48A)を谷折りし、左折込片(49)及び右折込片(50)の折目を夫々山折りして、前記中央折込片(48)と側壁(56)とを重合するとともに、前記左折込片(49)及び右折込片(50)を、側壁(55)(65)と重合して該角筒状体内に納め、前記中央構成体(ロ)の底辺(44)の両側に連接した折曲小片(43A)を角筒状体の側壁(11)の小差込孔(17D)、もう一方の折曲小片(43A)を角筒状の側壁(55)の小差込孔(61D)に差込み、両側の折曲片(43)(43)を下面片(40)の下部に重合し、左壁構成体(イ)と右壁構成体(ハ)を中央構成体(ロ)の折目と差込片の折曲で一体としてなる左枠部材(a)とする。
【００１０】
そして、右枠部材(b)の中央構成体(ホ)は、上垂直片（83）に連続して上部に中央折込片(84)(88)と該中央折込片(84)(88)の両側に左折込片(86)(89)及び右折込片(87)(90)を備え、前記中央構成体(ホ)の中央折込片(84)の折目(84A)を谷折りし、左折込片(86)及び右折込片(87)の折目を夫々山折して、前記中央折込片(84)と側壁(76)とを重合するとともに、前記左折込片(86)及び右折込片(87)を、側壁(74)(77)と重合して角筒形成体内に納め、前記中央構成体(ホ)の中央折込片(88)の折目(88A)を谷折りし、左折込片(89)及び右折込片(90)の折目を夫々山折して、前記中央折込片(88)と側壁(103)とを重合するとともに、前記左折込片(89)及び右折込片(90)を側壁(102)（114）に重合して該角筒形成体内に納め、前記中央構成体(ホ)の底辺(98)の両側に連接した折曲片(97)を角筒形成体の側壁(77)(102)に重合し、前記側壁(77)の小差込孔(83B)、もう一方の折曲片(97)を角筒状体の側壁(102)の小差込孔(118A)に差込み、両側の折曲片(97)(97)を下面片(94)の下部に重合し、左壁構成体(ニ)と右壁構成体(ヘ)を中央構成体(ホ)の折目と差込片の折曲で一体とした請求項１記載の構成である。
【００１１】
請求項３記載の発明は、収納部材(c)は上下部対称の打ち抜きにより左右に差込孔(202)(202)を、上下に複数の差込孔(200)を有する折目(201)を、上端には上片(200A)を、下端には下片(200B)を形成してなり、該収納部材（c）の折目(201)を谷折りして上下片(200A)(200B)を垂直に立てて収納体(C)を構成し、収納部材(d)は打ち抜きにより左右に差込孔(210)を、上下に複数の差込孔(205)(207)(208)を、上端には上片(205A)を、下端には下片(205B)を形成してなり、該収納部材(d)の折目(206)を谷折して上下片(205A)(205B)を垂直に立てて収納体(D)を構成し、収納体(C)の差込孔(202)(202)と、収納体(D)の差込孔(210)(210)を、左右枠体(A)(B)の上垂直片(26)(83)の各上片に差込固定し、これらを外装ケース(E)に収納してなることを特徴とする請求項１又は請求項２記載のドツトプリンタ用包装部材である。
【００１２】
請求項１の構成によれば、左枠体(A)を構成する左枠部材(a)は、左壁構成体(イ)の折目を谷折りして角筒形状に形成し、側壁に形成した差込孔(14)(17)に、中央の上面片(36)の差込口(34)を有する差込片(34A)を、下面片(40)の差込口(38)を有する差込片(38A)を夫々嵌合させて、右壁構成体(ハ)の折目を谷折りして角筒形状に形成し、側壁に形成した差込孔(57)(60)に、中央の上面片(36)の差込口(35)を有する差込片(35A)を、下面片(40)の差込口(39)を有する差込片(39A)を夫々嵌合させる。
【００１３】
右枠体(B)を構成する右枠部材(b)は、左壁構成体(ニ)の折目を谷折りして角筒形状に形成し、側壁に形成した差込孔(77F)(83A)に、中央の上面片(91)の差込口(89)を有する差込片(89A)を、下面片(94)の差込口(92)を有する差込片(92A)を夫々嵌合させて、右壁構成体(ヘ)の折目を谷折りして角筒形状に形成し、側壁に形成した差込孔(104A)(118)に、中央の上面片(91)の差込口(90)を有する差込片(90A)を、下面片(94)の差込口(93)を有する差込片(93A)を夫々嵌合させて、左枠体(A)と右枠体(B)に組み立てられ、これらの左右枠体(A)(B)ドットプリンタの両側に差し込み保持したことによりドットプリンタの左右上下からの衝撃から保護することができる。
【００１４】
また、打ち抜きで形成した折目、切目、差込孔、差込片より接着剤を一切使用することなく強固な左右枠体(A)(B)が形成される。
更に、請求項２のように、左右の枠部材の角筒状態の各壁面に形成した差込孔に各上垂直片と連接した中央折込片、左右折込片を折目で折曲げて重合挿入させることにより左右壁構成体と中央構成体の上下面片を強固に一体化できるので、組立が簡単で、扁平に嵩低く保管輸送することができる。
【００１５】
請求項３のように、左右枠体と収納体を差込孔に差込み固定して、外装ケース内に収納したことにより、ドットプリンタを枠体で挟み固定されるので、重量バランスの異なる収納物、材質の違い等により各部位の強度が異なるドットプリンタ(G)を損傷しないように保護することができる。
【００１６】
【発明の実施の形態】
本発明に係るドットプリンタ用包装部材の実施の形態例を図面に基づき説明する。
本発明に係るドットプリンタ用包装部材は、図１に示したように、ドットプリンタ（以下、単にプリンタと記す）(G)の両側から差し込む左枠体(A)と右枠体(B)とこれらの上面に付属品を載置する収納部材(C)、(D)とこれら収納する外装ケース(E)とからなるものである。
【００１７】
以下、左枠体(A)を構成する左枠部材(a)について、図面に基づき説明する。
左枠部材(a)は、図３に示すように、左壁構成体(イ)は左から順に端片に逆階段状の切目を形成した折片(1)の上部に差込片(2)の両側に折目を形成し、前記折片(1)と対称形の階段状の切り目を形成した折片(3)を、該折片(3)の右端は切目の両側に折目を介して前記折片(3)と対称形の階段状の切目(9)を有する折片(4)を連接し、切目(9)を有する階段状の上部には側壁(8)を連接し、該折片(4)の下部には差込片(4A)を有する孔(7)の両側に折目を介して側壁(8)に連接する。
【００１８】
側片(8)の右端に折目(8A)を介して側壁(10)、折目(10C)を介して側壁(11)、折目(11D)を介して側壁(12)、折目(12A)を介して側壁(13)を横に連接し、側壁(10)(11)の間に差込孔(14)の上部に折目(10C)、差込孔(14)の下部に、折目(10B)(11A)(11C)、差込孔(15)に連続する斜折切目(10A)、折目(10D)、抜孔(16)、折目(8A)と折目(11C)の間に、差込孔(17)と連続する小差込孔(17D)を形成し、差込孔(15)と差込孔(20)の間に縦折目(11E)を形成し、側壁(12)(13)の下部に差込孔(21)(22)を形成し、側壁(13)の折目(13A)と切目(13B)折目(13A)を形成する。
【００１９】
上垂直片(26)の上端から順に差込口(23)(24)(25)を有し、該上垂直片(26)と上面片(36)の間に差込孔(27)と折目(36A)を形成し、折目(36A)の両端に縦切目(28)(29)、横折目を(30)(31)介して折片(32)(33)、抜孔(32A)(33A)を形成し、差込片(34A)を有する差込口(34)、差込片(35A)を有する差込口(35)を有する上面片(36)は、抜孔(37)を介して差込口(38)(39)と両側に切目(38A)(39A)を有する下面片(40)、折目(40A)を介して抜孔(41)の両側に内側片(42)(42)、折目(44A)を介して底片(44)を設けて、底片(44)の両側に折目(43C)を介して折曲小片(43A)を折目(43D)を介して差込片(43B)を有する折曲片(43)を横に夫々連接する。
【００２０】
上垂直片(26)の上部左側には折目(45A)を介して中央折込片(45)、その両側に折目を介して左折込片(46)、右折込片(47)を形成し、また、上部右側には折目(48A)を介して中央折込片(48)、その両側に折目を介して左込片(49)、右折込片(50)を形成する。
【００２１】
次に左枠部材(a)の右壁構成部材(ハ)は、折目(52A)、切目(40B)、折目(52A)を介して差込孔(51)を有する側壁(52)、折目(54A)を介して差込孔(53)を有する側壁(54)、折目(55A)を介して側壁(55)、側壁(55)と側壁(56)の間に折目(60)を介して差込孔(57)、折目(55B)(56B)(56A)を形成し、折目(56B)と折目(56A)に続く差込孔(58)と連続する切目(55C)、これに続く折目(56D)(56C)(56E)差込孔(59)、折目(56C)(56E)を介して小差込孔(61D)と連続する差込孔(61)を形成し、該差込孔(61)の下部に折目(61B)を介して側壁(55)(56)を形成し、側壁(56)に横に連設する折目(65A)を介して抜孔(62)、切目(63)を介して、該切目(63)と連続する側壁(65)の中程に階段状の切目(66A)を介して折片(66)、その右側に折目と切目(67A)を有する折片(67)を形成し、折片(66)の中程に差込孔(66C)を形成して、前記折片(66)と対称形で折目を有する差込片(68)を介して折片(69)を形成する。
【００２２】
扁平な左枠部材(a)から左枠体(A)を組み立てるには、左側の折片(1)の上部の折目を谷折りして折片(1)を折片(3)に重ね、折片(3)の折目を谷折りして折片(1)を折片(4)と重合させて扁平の重合片とし、折片(3)の差込片(2)を折片(4)の差込孔(7)に挿入し、側壁(8)と側壁(10)の間の折目(8A)、側壁(10)の折目(10B)折目(10D)側壁(10)と側壁(11)間の折目(10C)、側壁(11)の折目(11C)を谷折りし、側壁(10)の折目(11E)と側壁(11)の折目(11A)を山折りし、側壁(11)と側壁(12)の間の折目(11D)を谷折りし、折片(4)の差込片(4A)を側壁(12)の差込孔(21)に挿入して、折目(12A)を谷折りして側壁(10)と側壁(11)の間の差込孔(20)に折片(1)(3)(4)の階段状の重合片の折片(3)の差込片(2)折片(4)の差込片(4A)を側壁(13)の差込孔(22)に嵌合して、各側壁が角筒状に保形するようにして差込孔(20)より折片(1)(3)(4)の重合片を突出させ、側壁(8)の表面を側壁(13)に重合して左壁構成体(イ)を角筒状体に巻き込み形成する。
【００２３】
次に右側の折片(69)の上部の折目を谷折りして折片(69)を折片(67)に重ね、折片(67)の折目(67A)を谷折りして折片(69)を折片(66)と重合させ扁平に折畳み、折片(69)の差込片(68)を側壁(65)の差込孔(66C)に挿入し、側壁(65)と側壁(56)の間の折目(65A)、側壁(56)の折目(56B)、折目(56A)、側壁(55)と側壁(56)の間の折目(60)、側壁(55)の折目(55A)を谷折りし、側壁(56)の折目(56B)と折目(56C)を山折りし、側壁(65)と側壁(56)の間の折目(65A)を谷折りし、折片(66)の差込孔(66C)に側壁(67)の差込片(68)に挿入して、側壁(56)と側壁(55)の間の差込孔(59)に折片(69)(67)(66)の階段状の垂直重合片を挿入突出させ、この階段状の重合片を側壁(55)(56)の差込孔(59)から突出させて、折片(67)の差込片(68)と折片(66)の差込片(66B)を側壁(54)の差込孔(53)に嵌合させ、折片(67)の差込片(68)を側壁(52)の差込孔(51)に嵌合させ、側壁(65)の表面を側壁(52)に重合して右壁構成体(ハ)を角筒状体に巻き込み形成する。
【００２４】
次に上面片(36)の折目(36A)を谷折りし、下面片(40)の折目(40A)を谷折りして各上下面片(36)(40)を垂直に立てて、上垂直片(26)と連接する中央折込片(45)の折目(45A)と中央折込片(48)の折目(48A)を谷折りし、底片(44)の折目(44A)を谷折りして垂直に立てて、側壁(10)(11)間の差込孔(14)に、前記上面片(36)の差込口(34)に嵌合させ、折目(30)を谷折りし折片(32)を垂直に立てて、差込孔(15)に挿入し、折目(31)を谷折りし折片(33)を垂直に立てて、差込孔(58)に挿入し、側壁(10)(11)間の差込孔(17)に前記下面片(40)の差込口(38)に嵌合させ、側壁(55)(56)間の差込孔(57)に前記上面片(36)の差込口(35)に嵌合させ、差込孔(61)に前記下面片(40)の差込口(39)に嵌合させて、左右の角筒状体と中央構成体(ロ)の上下面片(36)(40)とを一体に組み立てる。
【００２５】
次に上垂直片(26)と連接する右の中央折込片(45)の両側の左折込片(46)、右折込片(47)の折目をそれぞれ山折りし、左の中央折込片(45)の折目(45A)を谷折りして、角筒状体の側壁(10)に中央折込片(45)を重合挿入し、左折込片(46)を角筒状体の側壁(8)に重合し、右折込片(47)を角筒状体の側壁(11)に重合する。
【００２６】
右の中央折込片(48)両側の左折込片(49)、右折込片(50)の折目を夫々山折りし、左の中央折込片(48)の折目(48A)を谷折りして、角筒状体の側壁(56)に中央折込片(48)を重合挿入し、左折込片(49)を筒状体の側壁(55)に重合し、右折込片(50)を角筒状体の側壁(65)に重合して角筒状体の中に各折込片を重合挿入する。
【００２７】
次に底片(44)の両側に連接する折曲小片(43A)の折目(43D)を谷折り、折目(43C)を谷折りし、左側の折曲片(43)の差込片(43Ｂ)を、差込孔(17)に連続する小差込孔(17D)に差し込み、右側の折曲片(43)の差込孔(61)に連続する小差込孔(61D)に差し込み挿入され、角筒状体の中に納められて、図７のごとく左枠体(A)が組み立てられる。
【００２８】
次に、右枠体(B)を形成する右枠部材(b)を図面に基づき説明する。
右枠部材(b)は、図４に示すように、左から順に下端に差込片(70A)を有する逆階段状に形成した折片(70)を、折目を介して前記折片(70)と対称形で先端に差込片(71A)を有する折片(71)を形成し、該折片(71)の右側に折目(71B)を介して折片(72)を形成し、折片(72)の上部に折目(72A)を介して側壁(73)、縦切目(73A)と差込片(74B)を介して側壁(74)を、折片(72)下に折目(72A)を介して側壁(75)を形成し、次に、側片(74)(75)と連接する折目(74A)折目(72B)折目(74A)を介して側壁(76)は、折目(76A)を介して側壁(77)、折目(77A)を介して側壁(78)、折目(78A)を介して側壁(79)を横に連接し、側壁(76)、(77)の間に差込孔(77F)の上部に折目(76A)、下部に縦折目(76C)(76B)(77C)を設け、その下部に切目(81)、この切目(81)と連接する縦折目(76D)(76B)(77D)、抜孔(83C)、差込孔(76E)、(77F)を、その下に折目を介して差込孔(83A)と連続する小差込孔(83B)、その下部に折目(76A)を介して側壁(76)と側壁(77)を形成し、次に側壁(79)に差込片(79A)折目(79B)と切目(79C)を形成する。
【００２９】
中央構成体(ホ)の上垂直片(83)、上面片(91)、下面片(94)、内側片(96)は、まず、上垂直片の(83)左から順に差込口(80B)(80C)(80D)を有し、差込孔(91D)介して折目(91A)の両端縦切目(85)(86)、該切目(85)に続く折目(85A)それに続く切目(85B)を介して折片(85C)を形成し、もう一方の切目(86A)に続く折目(86B)を介して折片(88D)を形成し、差込口(89B)(90)を有する上面片(91)は、差込口(89B)を介して差込片(89A)、差込口(90)を介して差込片(90A)形成し、切目(91B)を介して下面片(94)を形成し、該下面片(94)は差込片(92A)を有する差込口(92)、差込片(93A)を有する差込口(93)を形成し、下面片(94)の下に折目(94A)を介して抜孔(95)の両側に内側片(96)(96)、折目(98A)を介して底片(98)の左側に縦折目(97A)、折曲小片(97D)縦折目(97C)を介して差込片(97D)を、右側に縦折目(97A)折曲小片(97D)縦折目(97C)を介して差込片(97)を形成する。
【００３０】
上垂直片(83)の上部左側には折目(84A)を介して中央折込片(84)、その両側に折目を介して左折込片(86)、右折込片(87)を形成し、また、上部右側には折目(88A)を介して中央折込片(88)、その両側に折目を介して左折込片(89)、右折込片(90)を形成する。
【００３１】
次に折目(100A)、切目(100C)を介して側壁(100)、折目(100D)を介して側壁(101)を、折目(100B)を介して側壁(102)を連接し、該側壁(102)、側壁(103）の間に折目(102A)を介して差込孔(104A)、折目(102A)に続く抜孔(105)、これに続く切目(105A)、縦折目(107)(103B)(103C)、抜孔(106）と折目(101A)と折目(107)の間に差込孔(107A)を形成し、前記折目(107)(103B)(103C)に続く差込孔(118)と連続する小差込孔(118A)を介して縦に折目(102A)を介して側壁(102)(103)を形成し、側壁(103)と横に連続する折目(103D)を介して抜孔(110)と切目(111)を介して連続する折片(114）の上部には折目(113B)を介して側壁(113)、Ｌ字状の切目(113A)、側壁(113)を、側壁(114）の下部には折目(114A)を介して側壁(115)を形成し、前記側壁(114）の右側に折目(114B)を介してＬ字状の折片(116)、その下部に折目(116A)を介して先端に差込片(117A)を有する折片(117)を形成した構成である。
【００３２】
扁平な右枠部材(b)から右枠体(B)を組み立てるには、左側の折片(70)の上部の折目を谷折りして折片(70)を折片(71)に重ね、折片(71)の折目(71B)を谷折りして折片(70)を折片(72)と重合させて扁平の重合片とし、側壁(74)の折目(74A)と側壁(76)の折目(76A)、折目(76C)、側壁(77)の折目(77C)を谷折りし、側壁(76)の折目(76B)を山折りし、側壁(77)と側壁(78)の間の折目(77A)を谷折りし、折片(70)(71)差込片(70A)(71A)を側壁(77)の差込孔(77E)に挿入して、側壁(76)の差込孔(76E)に、折片(70)(71)(72)の階段状の扁平にした重合片を差込孔(76E)に挿入嵌合して、側壁片(74)の表面を側壁(79)に重合して角筒状体に形成したものである。
【００３３】
次に、右壁構成体(ヘ)の右側の折片(117)の上部の折目(116A)を谷折りして重合せ、折片(117)を折片(116)に重ね、折片(116)の折目(114B)を谷折りして折片(117)を折片(114)と重合させ垂直扁平に形成し、折片(117)の差込片(117A)を側壁(102)の差込孔(107A)に挿入し、側壁(104)の折目(103D)、側壁(103)の折目(103C)、折目(102A)の側壁(102)と側壁(101)との間の折目(101A)、側壁(100)の折目(100D)を谷折りし、側壁(103)と側壁(102)の折目(103B)を山折りし、側壁(102)の差込孔(107A)に折片(117)(116)(114)の階段状の重合片を垂直扁平にして嵌合挿入させて、側片(114)の表面を側壁(100)に重合して角筒状体に形成する。
【００３４】
次に上面片(91)の折目(91A)を谷折りし、下面片(94)の折目(94A)を谷折りして各上下面片(91)(94)を垂直に立てて、上垂直片(83)と連接する中央折込片(84)の折目(84A)、中央折込片(88)の折目(88A)を谷折りし、底片(98)の折目(98A)を谷折りして垂直に立てて、側壁(76)(77)の差込孔(77E)に、前記上面片(91)の差込片(89A)を有する差込口(89B)に嵌合させ、折目(85A)を谷折りし折片(89A)を垂直に立てて、差込孔(77F)に挿入し、折目(88B)を谷折りし折片(88D)を垂直に立てて、差込孔(105)に挿入し、側壁(76)(77)の差込孔(83A)に前記下面片(94)の差込片(89A)を有する差込口(92)を嵌合挿入させる。
【００３５】
次に他方の右壁構成体(ヘ)の側壁(102)(103)の差込孔(104A)に前記上面片(91)の差込片(90A)を有する差込口(90)に挿入嵌合させ、差込孔(118)に前記下面片(94)の差込口(93)を有する差込片(93A)を挿入嵌合させて、左右の角筒状体と中央構成体の上下面片(91)(94)とで左右枠体とを一体に組み立てる。
【００３６】
次に上垂直片(83)と連接する中央折込片(84)(88)の両側の左折込片(86)(89)、右折込片(87)(90)の折目をそれぞれ山折りし、左の中央折込片(84)の折目(84A)を谷折りして、中央折込片(84)を筒状体の側壁(76)に重合し、左折込片(86)を筒状体の側壁(74)に重合し、右折込片(87)を筒状体の側壁(77)に重合し、右の中央折込片(88)の折目(88A)を谷折りし、中央折込片(88)の左右の折目を山折りして中央折込片(88)を筒状体の側壁(103)に重合し、左折込片(89)を筒状体の側壁(102)に、右折込片(90)を筒状体の側壁(104)に夫々重合させる。
【００３７】
次に底片(98)の両側に連接する折曲小片(97B)の折目(97C)を谷折り、折目(97A)を谷折りし、各折曲片(97)の差込片(97D)はそれぞれ差込孔(83A)に連続する小差込孔(83B)に差込み、もう一方の折曲片(97)の差込片(97D)は差込孔(118)に連続する小差込孔(118A)に差込挿入され、左の折曲片(97)は角筒状体の中の下面片(94)にそれぞれ重合し、右の折曲片(97)は角筒状体の中の下面片(94)に重合して角筒状体の中に収納され、図８のごとく右枠体(B)が組み立てられる。
【００３８】
収納部材(c)は横長の段ボール板からなり、上下部対称に複数の差込孔(200)と折目(201)を形成し、左右部には差込孔(202)を、段ボール板の中央部分に角型抜孔(203)を、そして、その両側に丸型抜孔(204)を、打ち抜き形成したものである。
【００３９】
この収納部材(c)を図１の収納体(C)に組み立てるには、上下部対称に複数の差込孔(200)を有する折目(201)を谷折りして上下片(200A)(200B)を垂直に立てて図１の収納体(C)に形成する。
【００４０】
収納部材(d)は、横長の段ボール板からなり、上部に複数の差込孔(205)と折目(206)を、下部には差込孔(207)と大きな差込孔(208)と折目(209)、左右部に差込孔(210)を打ち抜き形成したものである。
収納部材(d)は図１の収納体(D)に組み立てるには、上下部対称に複数の差込孔(205)を有する折目(206)と差込孔(207)(208)を有する折目(209)を谷折りして上下片(205A)(205B)を垂直に立てて図１の収納体(D)に形成する。
【００４１】
次に外装ケース(E)以下について図面に基づき説明する。
外装ケース(E)は図９に示すように、二枚の外装ケース半体(211)(212)を連結したものであり、その外装ケース半体(211)は、右側板(213)、前板(214)、及び貼着板(215)をそれぞれ折目を介して順に連接し、前板(214)の上部に折目を介して前蓋板(218)を、前板(214)の下部に折目を介して底蓋板(219)をそれぞれ設け、この右側板(213)の上部に右蓋板(216)を折り目を介して連接し、右側板(213)の下部に折目を介して右底蓋板(217)を連接したものである。
【００４２】
他方の外装ケース半板(212)は、左側板(221)、後板(220)、及び貼着板(222)をそれぞれ折目を介して順に連接し、後板(221)の上部に折目を介して後蓋板(225)を、後板(221)の下部に折目を介して底蓋板(226)をそれぞれ設け、この左側板(220)の上部に左蓋板(223)を折目を介して連接し、左側板(220)の下部に折目を介して左底蓋板(224)を連接したものである。
【００４３】
そして外装ケース半板(211)の貼着板(215)を外装ケース半板(212)の左側板(220)の左端に接着し、外装ケース半板(212)の貼着板(222)を右側板(213)の裏面に接着し、各縦折目を谷折りして筒状にし、右底蓋板(217)と左底蓋板(227)を谷折りして、底蓋板(219)、(226)を横に山折してテープ止めして外装ケースの底体を形成し、収納物を収納した後、右蓋板(216)、左蓋板(223)の折目を谷折りし、前蓋板(218)(225)の折目を谷折りしてテープで止める構成である。
【００４４】
次に、本発明のドットプリンタ用包装部材の使用方法について図面に基づき説明する。
ドットプリンタ(G)の左側に左枠体(A)を差し込み、右側に右枠体(B)を差し込み、この状態で外装ケース(E)の上方より挿入して、次に左枠体(A)の差込口(23)(24)(25)と右枠体(B)の差込口(80)(81)(82)のそれぞれに収納体(C)(D)の左右に形成した差込孔(203)(210)に挿入して、インクリボン、端子ツマミ、説明書などを収納体(C)(D)に収納して外装ケース内に入れて外装ケースの蓋を閉塞する。
【００４５】
前記の実施例では、収納体をそれぞれ別々に形成収納して説明したが、これらは一枚もので形成したものでも良い。
前記実施例の外装ケース半体(211)(212)を二枚のもので構成したが、これらを一枚もので構成してもよい。
本発明の構成体は紙製品であるから再生利用が可能であり、その上焼却処理可能な段ボールを使用しており、折畳解体が簡単であるから保存、運搬に便利である。
【００４６】
【発明の効果】
請求項１の発明は、左枠体(A)を構成する左枠部材(a)は、左壁構成体(イ)の折目を谷折りして角筒形状に形成し、側壁に形成した差込孔(14)(17)に、中央の上面片(36)の差込口(34)を有する差込片(34A)を、下面片(40)の差込口(38)を有する差込片(38A)を夫々嵌合させて、右壁構成体(ハ)の折目を谷折りして角筒形状に形成し、側壁に形成した差込孔(57)(61)に、中央の上面片(36)の差込口(35)を有する差込片(35A)を、下面片(40)の差込口(39)を有する差込片(39A)を夫々嵌合させる。
【００４７】
右枠体(B)を構成する右枠部材(b)は、左壁構成体(ニ)の折目を谷折りして角筒形状に形成し、側壁に形成した差込孔(77F)(83A)に、中央の上面片(91)の差込口(89)を有する差込片(89A)を、下面片(94)の差込口(92)を有する差込片(92A)を夫々嵌合させて、右壁構成体(ヘ)の折目を谷折りして角筒形状に形成し、側壁に形成した差込孔(104A)(118)に、中央の上面片(91)の差込口(90)を有する差込片(90A)を、下面片(94)の差込口(93)を有する差込片(93A)を夫々嵌合させて、左枠体(A)と右枠体(B)に組み立てられ、これらの左、右枠体(A)(B)をドットプリンタの両側に差し込み保持したことにより、ドットプリンタの左右上下への衝撃から保護することができる。
【００４８】
また、打ち抜きで形成した折目、切目、差込孔、差込片より接着剤を一切使用することなく強固な左右枠体(A)(B)が形成される。
【００４９】
更に、請求項２の発明は、左右の枠部材の角筒状態の各壁面に形成した差込孔に各上垂直片と連接した中央折込片、左右折込片を折目で折曲げて重合挿入させることにより左右壁構成体と中央構成体の上下面片を強固に一体化できるので、組立が簡単で、嵩の低い扁平状態で保管輸送することができる。
【００５０】
請求項３の発明は、左右枠体と収納体を差込孔に差込み固定して、外装ケース内に収納したことにより、ドットプリンタを枠体で挟み固定されるので、重量バランスの異なる収納物、材質の違い等により各部位の強度が異なるドットプリンタ(G)を損傷しないように保護することができる。
【図面の簡単な説明】
【図１】本発明の一実施形態に係るドットプリンタ用包装部材の使用方法を示す斜視図である。
【図２】包装部材を構成する外装ケースの斜視図である。
【図３】包装部材の左枠体(A)を構成する左枠部材の打ち抜き状態を示す展開平面図である。
【図４】包装部材の右枠体(B)を構成する右枠部材の打ち抜き状態を示す展開平面図である。
【図５】包装部材の収納体(C)の打ち抜き状態を示す展開平面図である。
【図６】包装部材前記収納体(D)の打ち抜き状態を示す展開平面図である。
【図７】包装部材の左枠体(A)の斜視図である。
【図８】包装部材の右枠体(B)の斜視図である。
【図９】包装部材の外装ケース(E)の展開平面図である。
【符号の説明】
(A)           左枠体
(B)           右枠体
(C)           収納体
(D)           収納体
(E)           外装ケース
(G)           ドットプリンタ
(イ)          左壁構成体
(ロ)          中央構成体
(ハ)          右壁構成体
(ニ)          左壁構成体
(ホ)          中央構成体
(ヘ)          右壁構成体
(a)           左枠部材
(b)           右枠部材
(1)           折片
(2)           差込片
(3)           折片
(4)           折片
(4A)          差込片
(7)           差込孔
(8)           側壁
(9)           切目
(10)          側壁
(10A)         斜切目
(10B)         折目
(10C)         折目
(10D)         折目
(11)          側壁
(11A)         折目
(11B)         折目
(11C)         折目
(11E)         折目
(12)          側壁
(12A)         折目
(13)          側壁
(13A)         折目
(13B)         切目
(14)          差込孔
(15)          差込孔
(16)          抜孔
(17)          差込孔
(17D)         小差込孔
(20)          差込孔
(21)          差込孔
(22)          差込孔
(23)          差込口
(24)          差込口
(25)          差込口
(26)          上垂直片
(26A)         上片
(27)          差込孔
(28)          切目
(29)          切目
(30)          折目
(31)          折目
(32)          折片
(32A)         抜孔
(33)          折片
(33A)         抜孔
(34)          差込口
(34A)         差込片
(35)          差込口
(35A)         差込片
(36)          上面片
(37)          抜孔
(38)          差込口
(38A)         差込片
(39)          差込口
(39A)         差込片
(40)          下面片
(41)          抜孔
(42)          内側片
(43)          折曲片
(43A)         折曲小片
(43B)         差込片
(43C)         折目
(43D)         折目
(44)          底片
(44A)         折目
(45)          中央折込片
(45A)         折目
(46)          左折込片
(47)          右折込片
(48)          中央折込片
(48A)         折目
(49)          左折込片
(50)          右折込片
(51)          差込孔
(52)          側壁
(52A)         折目
(53)          差込孔
(54)          側壁
(54A)         折目
(55)          側壁
(55A)         折目
(55B)         折目
(55C)         切目
(56)          側壁
(56A)         折目
(56B)         折目
(56C)         切目
(56D)         折目
(56E)         折目
(57)          差込孔
(58)          差込孔
(59)          差込孔
(60)          折目
(61)          差込孔
(61B)         折目
(61D)         小差込孔
(62)          抜孔
(63)          切目
(65)          側壁
(65A)         折目
(66)          折片
(66A)         切目
(66B)         差込片
(66C)         差込孔
(67)          折片
(67A)         切目
(68)          差込片
(69)          折片
(70)          折片
(70A)         差込片
(71)          折片
(71A)         差込片
(72)          折片
(72A)         折目
(72B)         折目
(73)          側壁
(74)          側壁
(75)          側壁
(76)          側壁
(76A)         折目
(76B)         折目
(76C)         折目
(76D)         折目
(76E)         差込孔
(77)          側壁
(77A)         折目
(77E)         差込孔
(77F)         差込孔
(78)          側壁
(78A)         折目
(79)          側壁
(79A)         差込片
(79B)         折目
(79C)         切目
(80B)         差込口
(80C)         差込口
(80D)         差込口
(83)          上垂直片
(83B) 小差込孔
(84)          中央折込片
(84A)         折目
(85)          切目
(85A)         折目
(85B)         折目
(85C)         折片
(86)          左折込片
(87)          右折込片
(85)          切目
(85A)         折目
(85B)         折目
(85C)         折片
(86)          切目
(86A)         切目
(88)          中央折込片
(88A)         折目
(88B)         折目
(88C)         切目
(88D)         折片
(89)          左折込片
(89A)         差込片
(89B)         差込口
(90)          右折込片
(91)          上面片
(91A)         折目
(91B)         切目
(91C)         差込孔
(92)          左折込片
(92A)         差込片
(93)          右折込片
(93A)         差込片
(94)          下面片
(94A)         折目
(95)          抜孔
(96)          内側片
(97)          折曲片
(97A)         折目
(97B)         折曲片
(97C)         折目
(97D)         差込片
(98)          底片
(98A)         折目
(100)         側壁
(100A)        折目
(100B)        切目
(100C)        折目
(100D)        折目
(101)         側壁
(101A)        折目
(102)         側壁
(102A)        折目
(103)         側壁
(103A)        折目
(103B)        折目
(103C)        折目
(103D)        折目
(104)         側壁
(104A)        差込孔
(105)         抜孔
(105A)        切目
(106)         抜孔
(107)         折目
(107A)        差込孔
(110)         抜孔
(111)         切目
(113)         側壁
(113A)        切目
(113B)        折目
(113D)        折目
(114)         折片
(114A)        折目
(115)         側壁
(116)         折片
(116A)        折目
(117)         折片
(117A)        差込片
(118)         差込孔
(118A)        小差込孔
(200)         差込片
(200A) 上片
(200B) 下片
(201) 折目
(202)         差込孔
(205) 差込片
(205A) 上片
(205B) 下片
(207) 差込片
(208) 差込片
(210)         差込孔
(211)         外装ケース半体
(212)         外装ケース半体
(213)         右側板
(214)         前板
(215)         貼着板
(216)         右蓋板
(217)         右蓋板
(218)         前蓋板
(219)         底蓋板
(220)         左側板
(221)         後板
(222)         貼着板
(223)         左蓋板
(224)         左底蓋板
(225)         後蓋板
(226)         底蓋板
【図１】
0003613630.tif 000002
【図２】
0003613630.tif 000003
【図３】
0003613630.tif 000004
【図４】
0003613630.tif 000005
【図５】
0003613630.tif 000006
【図６】
0003613630.tif 000007
【図７】
0003613630.tif 000008
【図８】
0003613630.tif 000009
【図９】
0003613630.tif 000010